(57)【要約】【課題】  ラッチプレートとラッチバーとの係合を検出するリミットスイッチの信号ケーブル用の専用コードリールを不要とさせる。【解決手段】  タワージブ１３のアウタジブ１３ｂの基端部にラッチバー２５を固定する。タワーポスト７の所要位置にラッチプレート２８の支軸３２を上下方向回動自在に且つ取り外し可能に保持させる。ラッチバー２５の両端部に、ラッチプレート２８の係合に伴って回動されるラッチプレート検出レバー４４を設け、その基端部のストライカ部４４ｂに、ラッチバー２５上に設けたリミットスイッチ３６の作動片３６ａを接触配置させる。リミットスイッチ３６から信号を伝える信号ケーブルをアウタジブ１３ｂの先端まで配線し、通常、タワージブ１３のアウタジブ１３ｂの先端に具備されている過巻リミットスイッチからの過巻信号ケーブルと共にクレーン本体まで配線させる。【選択図】図１
2008094599.tif 000002
【特許請求の範囲】
【請求項１】
タワージブをタワーポストに沿うよう折り畳むときに該タワージブ側に設けたラッチバーとタワーポスト側に設けたラッチプレートとを係合させるようにしてあるタワークレーンのジブ固定装置において、上記タワージブにおけるアウタジブに上記ラッチバーを取り付けると共に、該ラッチバーと上記ラッチプレートとの係合を検出するリミットスイッチを、上記アウタジブ側に取り付けてなる構成を有することを特徴とするタワークレーンのジブ固定装置。
【請求項２】
ラッチバーとラッチプレートとの係合を検出するリミットスイッチを、上記ラッチバーにおける上記ラッチプレートとの係合位置に配設したラッチプレート検出レバーを介して作動させるようにした請求項１記載のタワークレーンのジブ固定装置。
【請求項３】
ラッチバーとラッチプレートとの係合を検出するリミットスイッチを、ラッチプレートに取り付けたストライカ片によって作動させることができるようにした請求項１記載のタワークレーンのジブ固定装置。
【発明の詳細な説明】
【技術分野】
【０００１】
本発明は高層建築等に用いるタワークレーンのジブ固定装置に関するものである。
【背景技術】
【０００２】
タワークレーンのうち、移動式タワークレーンは、図６にその一例の概略を示す如き構成としてある。すなわち、下部走行体１上に、主巻ドラム３、補巻ドラム４、起伏ドラム（ブームドラム）５、ジブドラム６を装備した上部旋回体であるクレーン本体２が搭載されている（図では、上記主巻ドラム３とジブドラム６、補巻ドラム４と起伏ドラム５をそれぞれ同軸に備えた形式のクレーン本体２を示してある）。上記クレーン本体２上には、タワーポスト７の基端部が起伏可能に取り付けてある。更に、上記タワーポスト７の先端部に一端を取り付けたポスト支持ロープ８の他端を、メインイコライザ９に取り付けると共に、該メインイコライザ９とクレーン本体２上に立設させたＡフレーム１０のヨーク１１との間に、起状ドラム５から繰り出された起状ロープ１２を掛け回し、上記起伏ドラム５による起伏ロープ１２の巻取り、繰り出しによって上記タワーポスト７を起伏できるようにしてある。
【０００３】
上記タワーポスト７の先端部には、タワージブ１３の基端部が俯仰可能に連結してある。更に、上記タワーポスト７の先端部に三角状のストラット１４の１つの頂角部が揺動可能に取り付けてあり、該ストラット１４の他の２つの頂角部のうちの前側の頂角部と上記タワージブ１３の先端部とが支持ロープ１５を介して連結してある。又、上記ストラット１４の後側の頂角部に一端を取り付けたストラット支持ロープ１６の他端を、ミドルイコライザ１７に取り付けると共に、該ミドルイコライザ１７とミドルヨーク１８との間に、ジブドラム６から繰り出されたジブ巻上げロープ１９を掛け回し、上記ジブドラム６によるジブ巻上げロープ１９の繰り出し、巻取りによって、上記タワージブ１３を上記タワーポスト７への連結点を中心に、上記ストラット１４を介して俯仰させることができるようにしてある。
【０００４】
更に、上記主巻ドラム３から繰り出された主巻ロープ２０は、上記タワーポスト７の先端部まで導かれて、該タワーポスト７の先端部より主フックブロック２１を上下動自在に垂下させるようにしてある。又、上記補巻ドラム４から繰り出された補巻ロープ２２は、上記タワーポスト７とタワージブ１３に沿って導かれて、該タワージブ１３の先端部より補フックブロック２３を上下動自在に垂下させるようにしてある。これにより、上記主巻ドラム３による主フックブロック２１の上下動や、補巻ドラム４による補フックブロック２３の上下動と、上記タワーポスト７の起伏、タワージブ１３の俯仰、クレーン本体２の旋回を適宜組み合わせることによって荷の搬送を行うことができるようにしてある。
【０００５】
上記タワーポスト７は、クレーン本体２への取付側となる下端部のインナポスト（インナブーム）７ａと、上端部のタワートップ７ｂと、その間に介装させるように連結するインサートポスト（インサートブーム）７ｃとからなる分割構造としてあり、上記タワークレーンに所望される作業高さに応じて、使用する上記インサートポスト７ｃの長さ寸法や段数（連結数）を適宜選択することにより、タワーポスト７の高さ寸法、すなわち、全長を変更できるようにしてある。図６ではインナポスト７ａとタワートップ７ｂとの間に２段のインサートポスト７ｃを連結したタワーポスト７が示してある。
【０００６】
又、上記タワージブ１３は、タワーポスト７との連結側となる基端部のインナジブ１３ａと、先端部のアウタジブ１３ｂと、その間に介装させるように連結するインサート部材１３ｃとからなる分割構造としてあり、上記タワークレーンに所望される作業半径に応じて、使用する上記インサート部材１３ｃの長さ寸法や連結数を適宜選択することにより、タワージブ１３の全長を変更できるようにしてある。図６ではインナジブ１３ａとアウタジブ１３ｂとの間に１つのインサート部材１３ｃを連結したタワージブ１３が示してある。
【０００７】
上記タワーポスト７のインナポスト７ａ、タワートップ７ｂ、インサートポスト７ｃ、及び、上記タワージブ１３のインナジブ１３ａ、アウタジブ１３ｂ、インサート部材１３ｃは、いずれも、前後の左右位置にそれぞれ配した４本のコードパイプとこれらを連結する連結材等からなる骨組構造としてある。
【０００８】
ところで、上記タワークレーンでは、タワーポスト７を地上へ倒状させるときや、倒伏状態から起立させるときに、上記タワージブ１３をタワーポスト７に沿わせて折り畳んだ状態で固定するためのジブ固定装置を装備するようにしてある。
【０００９】
従来用いられているジブ固定装置は、図７及び図８にその一例の概略を示す如く、タワージブ１３の長手方向先端側寄りの所要個所にて、該タワージブ１３を構成する複数のコードパイプ２４のうち折り畳み時にタワーポスト７側に位置するコードパイプ２４に、左右水平方向に延びるラッチバー２５が、たとえば、Ｕボルト２６等を介して取り付けてある。
【００１０】
一方、上記タワーポスト７の長手方向においてタワージブ１３の折り畳み時に上記ラッチバー２５と対峙することとなる個所にて、タワーポスト７を構成する複数のコードパイプ２７のうち折り畳み時にタワージブ１３側に位置するコードパイプ２７には、水平支持材３３を、たとえば、Ｕボルト３４を介して取り外し可能に取り付け、該水平支持材３３の前側に、左右水平方向の支軸３２を上下方向回動自在に保持させる共に、先端面を下向きに後傾する係合ガイド面２９とし且つ該係合ガイド面２９の下端部をラッチ爪３０とし、更に、下側部に上記ラッチバー２５に係合させる略コの字状の切欠部３１を上記ラッチ爪３０から連続するよう形成してなるラッチプレート２８を、上記支軸３２に取り付けた構成としてある。これにより、上記タワージブ１３をタワーポスト７に沿う位置まで折り畳むように近付けると、該タワーポスト７側に設けた上記ラッチプレート２８の先端側の係合ガイド面２９に上記タワージブ１３側に設けたラッチバー２５が当接して、上記ラッチプレート２８が上記ラッチバー２５の上側に沿って押し上げられ、しかる後、該ラッチプレート２８のラッチ爪３０が上記ラッチバー２５を乗り越えると、該ラッチバー２５が上記ラッチプレート２８の切欠部３１に係合させられて捕捉されるようにしてある。かかる状態とすることにより、上記タワーポスト７を地上位置まで倒伏させたり、倒伏状態から起立させるときに、上記タワージブ１３を上記係合するラッチバー２５やラッチプレート２８等を介してタワーポスト７に保持させることができるようにしてある。
【００１１】
更に、上記タワージブ１３が折り畳まれて固定されたことを運転席側のランプ表示等により確認できるようにするために、上記ラッチプレート２８側に、該ラッチプレート２８の切欠部３１に上記ラッチバー２５が係合されるようになると回動させられるジブ検出レバー３５と、該ジブ検出レバー３５の回動を検出して信号を発するリミットスイッチ３６を装備するようにしてある（たとえば、特許文献１参照）。
【００１２】
なお、３７は運転室側より操作ロープ３８を引くことによって上記支軸３２と一体にラッチプレート２８を上方へ回動させてラッチバー２５から離脱させるための操作レバーである。
【００１３】
【特許文献１】特開２００３−５４８７７号公報
【発明の開示】
【発明が解決しようとする課題】
【００１４】
ところが、上記タワークレーンでは、前述したように、所望される作業高さに応じてインナポスト７ａとタワートップ７ｂとの間に介装するインサートポスト７ｃの長さ寸法や連結数を変えることでタワーポスト７の全長を変更したり、所望される作業半径に応じてインナジブ１３ａとアウタジブ１３ｂの間に介装するインサート部材１３ｃの長さ寸法や連結数を変えることでタワージブ１３の全長を変更することがあるために、このタワーポスト７とタワージブ１３の長さの組合せに応じて、上記ジブ固定装置の取付位置を適宜変更する必要が生じる。この場合、上記ラッチバー２５は、タワージブ１３の全長が変更されても該タワージブ１３の長手方向先端側寄り位置に取り付けるようにしてあるが、このラッチバー２５の配置に対応させるために、タワーポスト７側におけるラッチプレート２８の取付位置は、タワーポスト７とタワージブ１３の長さの組合せに依存してその都度変更されることとなる。
【００１５】
そのために、上記タワーポスト７側にラッチプレート２８と一緒に設けられるリミットスイッチ３６からの信号をクレーン本体１（図６参照）の運転席側へ伝えるための信号ケーブル（図示せず）に必要とされるケーブル長が、上記タワーポスト７とタワージブ１３の長さの組合せに応じて変化することから、従来は、上記リミットスイッチ３６に接続する信号ケーブルのための専用のコードリール（図示せず）を、たとえば、インナポスト７ａの所要個所に装備するようにしていた。使用するタワーポスト７とタワージブ１３の組み付けが終了して上記タワーポスト７の長手方向における上記ジブ固定装置のラッチプレート２８の配置（取付位置）が定まると、上記装備してあるコードリールより必要な長さの信号ケーブルを引き出して上記ラッチプレート２８の取付位置までタワーポスト７の所要個所に取り外し可能に配線するようにしていた。
【００１６】
そこで、本発明は、タワークレーンのタワージブの折り畳みを検出するためのリミットスイッチからの信号を伝える信号ケーブル用の専用のコードリールを省略できるようにし、これにより、タワーポスト及びタワージブ組み付け時の配線作業を省力化できるタワークレーンのジブ固定装置を提供しようとするものである。
【課題を解決するための手段】
【００１７】
本発明は、上記課題を解決するために、請求項１に係る発明に対応するものとして、タワージブをタワーポストに沿うよう折り畳むときに該タワージブ側に設けたラッチバーとタワーポスト側に設けたラッチプレートとを係合させるようにしてあるタワークレーンのジブ固定装置において、上記タワージブにおけるアウタジブに上記ラッチバーを取り付けると共に、該ラッチバーと上記ラッチプレートとの係合を検出するリミットスイッチを、上記アウタジブ側に取り付けてなる構成とする。
【００１８】
又、上記構成におけるラッチバーとラッチプレートとの係合を検出するリミットスイッチを、上記ラッチバーにおける上記ラッチプレートとの係合位置に配設したラッチプレート検出レバーを介して作動させるようにした構成とする。
【００１９】
更に、上記構成におけるラッチバーとラッチプレートとの係合を検出するリミットスイッチを、ラッチプレートに取り付けたストライカ片によって作動させることができるようにした構成としてもよい。
【発明の効果】
【００２０】
本発明のタワークレーンのジブ固定装置によれば、次の如き優れた効果を発揮する。 
（１）タワージブをタワーポストに沿うよう折り畳むときに該タワージブ側に設けたラッチバーとタワーポスト側に設けたラッチプレートとを係合させるようにしてあるタワークレーンのジブ固定装置において、上記タワージブにおけるアウタジブに上記ラッチバーを取り付けると共に、該ラッチバーと上記ラッチプレートとの係合を検出するリミットスイッチを、上記アウタジブ側に取り付けてなる構成としてあるので、タワージブの全長を変更したり、タワーポストの全長を変更する場合にも、ラッチバーの取付位置を変更する必要はなく、該ラッチバーと上記ラッチプレートとの係合を検出するリミットスイッチを上記アウタジブに対し位置固定することができる。したがって、上記リミットスイッチからの信号を伝える信号ケーブルは、上記アウタジブの先端部まで導いて、通常、タワージブの先端に具備されている補フックブロックの過巻きを未然に防止するための過巻リミットスイッチからの過巻信号ケーブルと共にクレーン本体まで配線することが可能になることから、上記リミットスイッチ用の信号ケーブルを、アウタジブに固定することができて、該信号ケーブル用の専用のコードリールを不要とすることができる。これにより、上記タワーポスト及びタワージブの組付時の配線作業を省力化することが可能になる。 
（２）ラッチバーとラッチプレートとの係合を検出するリミットスイッチを、上記ラッチバーにおける上記ラッチプレートとの係合位置に配設したラッチプレート検出レバーを介して作動させるようにした構成としたり、上記リミットスイッチを、ラッチプレートに取り付けたストライカ片によって作動させることができるようにした構成とすることにより、上記リミットスイッチによりラッチバーに係合するラッチプレートを確実に検出可能な装置構成を容易に実施できる。
【発明を実施するための最良の形態】
【００２１】
以下、本発明を実施するための最良の形態を図面を参照して説明する。
【００２２】
図１乃至図３は本発明のタワークレーンのジブ固定装置の実施の一形態を示すもので、図６に示したと同様の構成としてあるタワークレーンのタワージブ１３におけるアウタジブ１３ｂの基端部に、ラッチバー２５を取り付ける。一方、タワーポスト７の長手方向においてタワージブ１３を折り畳んだときに上記アウタジブ１３ｂの基端部のラッチバー２５と対峙する個所に、図７に示したラッチプレート２８と同様に、下向きに後傾する先端側の係合ガイド面２９と、該係合ガイド面２９の下端部のラッチ爪３０と、下側部の略コの字状の切欠部３１とを備えて上記ラッチバー２５に係合、離脱させるラッチプレート２８の支軸３２を、取り外し可能に取り付ける。更に、上記ラッチバー２５と上記ラッチプレート２８との係合を検出するためのリミットスイッチ３６を、タワージブ１３側における上記ラッチバー２５の近傍位置に設けてなる構成とする。
【００２３】
詳述すると、上記アウタジブ１３ｂにおいてタワージブ１３の折り畳み時にタワーポスト７側に位置する左右のコードパイプ２４の基端部に、タワーポスト７側に突出する支持部材３９をそれぞれ設け、該左右の支持部材３９に、左右水平方向に延びる中空パイプ形状のラッチバー２５を、該ラッチバー２５の両端部がそれぞれ上記左右の各支持部材３９よりも外側へ所要寸法ずつ突出するように取り付ける。
【００２４】
一方、上記タワーポスト７にてタワージブ１３の折り畳み時に上記アウタジブ１３ｂの基端部のラッチバー２５と対峙することとなる所要個所、たとえば、所要のインサートポスト７ｃの左右のコードパイプ２７の長手方向所要個所におけるタワージブ１３側に、左右一対の軸受部材４０を配置して、該各軸受部材４０を、クランプ状の取付部材４１を介してそれぞれ対応する側のコードパイプ２７に取り外し可能に取り付ける。上記左右の各軸受部材４０の間には、支軸３２を左右水平方向に延びるよう配置して、その両端部を上記左右の各軸受部材４０に回転自在に支持させる。更に、上記支軸３２の長手方向の両端寄り位置に、上記各支持部材３９よりも外側に位置するラッチバー２５の左右両端部にそれぞれ係合、離脱できるよう配したラッチプレート２８の基端部を取り付けて、該各ラッチプレート２８が上記支軸３２と一体に上下方向に回動できるようにする。
【００２５】
上記支軸３２の一端部付近には、対応する側の取付部材４１の下面側に当接することで該支軸３２の下方への回転を制限するストッパ４２を設けて、上記タワーポスト７を上下方向の起立配置としたときに上記各ラッチプレート２８の自重による下方への回転を規制して、該各ラッチプレート２８をタワージブ１３側へほぼ水平に突出する姿勢とさせることができるようにしてある。又、上記支軸３２の他端部付近には、対応する側の取付部材４１の上面側に当接することで該支軸３２の上方への回転を所要の角度範囲に制限するストッパ４３を設けて、上記ラッチプレート２８の上方への回動を、たとえば、垂直な姿勢を越えないような所要の角度範囲内に制限できるようにしてある。
【００２６】
更に、上記各ラッチプレート２８を係合させることとなるラッチバー２５の左右両端部には、該ラッチバー２５への上記各ラッチプレート２８の係合に伴ってリミットスイッチ３６を作動させるためのラッチプレート検出レバー４４を内蔵させるようにする。
【００２７】
具体的には、中空パイプ形状としてある上記ラッチバー２５の左右両端部付近の上側壁部に、上記各支持部材４１への取付位置を挟んで長手方向に平行に所要寸法延びるスリット４５を設ける。上記左右のスリット４５は、上記ラッチバー２５におけるタワージブ１３に近接する側の位置と離反側の位置となるように互いに位置をずらしてある。このために、上記ラッチバー２５は、図２に示すように、タワージブ１３との近接離反方向にやや扁平した形状としておくことが好ましい。
【００２８】
上記ラッチプレート検出レバー４４は、先端側の上側部に上方へ所要寸法突出する上記ラッチプレート２８との当接部４４ａを備え、且つ基端部上側部にリミットスイッチ３６の作動片３６ａに当接させるためのストライカ部４４ｂを上方へ所要寸法突出するように備えた形状としてある。該ラッチプレート検出レバー４４は、上記ラッチバー２５の左右のスリット４５の内側に、上記当接部４４ａがそれぞれ対応する支持部材３９よりも外側（長手方向端部側）に位置し且つ上記ストライカ部４４ｂが対応する支持部材３９よりも内側（長手方向中央寄り側）に位置するようにそれぞれ収納配置すると共に、該各ラッチプレート検出レバー４４の基端寄りの所要個所を、上記ラッチバー２５に、ピン４６を介し支持させて、該各ラッチプレート検出レバー４４が、上記ラッチバー２５の左右のスリット４５内にて上記支持個所を中心に上下方向に揺動できるようにする。更に、上記各ラッチプレート検出レバー４４における上記支持個所よりもやや先端寄りの所要個所と、上記スリット４５の片側位置の上側に上方へ所要寸法突出するようそれぞれ設けた支持部材４７の突出端部との間に、対応するラッチプレート検出レバー４４の先端側を上方へ回動するように付勢するスプリング４８をそれぞれ介装して、該各ラッチプレート検出レバー４４の上記当接部４４ａが、上記スリット４５よりラッチバー２５の上方へやや突出した姿勢となるようにする。
【００２９】
更に、上記各ラッチプレート検出レバー４４のストライカ部４４ｂの上端面に、ラッチバー２５の所要個所の上側にそれぞれ対応するよう設置したリミットスイッチ３６の作動片３６ａを接触させて配置する。これにより、タワージブ１３の折り畳み時に上記ラッチバー２５とタワーポスト７側に取り付けてある各ラッチプレート２８が係合して、図２に示す如く、各ラッチプレート２８の切欠部３１が上記ラッチバー２５の左右両端部に載置されるようになると、上記各ラッチプレート検出レバー４４の当接部４４ｂが上記各ラッチプレート２８によりスプリング４８の収縮力に抗して押し下げられ、これに伴って上方へ回動されるストライカ部４４ｂによって上記各リミットスイッチ３６の作動片３６ａを作動させることができるようにしてある。その他、図７及び図８に示したものと同一のものには同一符号が付してある。
【００３０】
以上の構成としてあることにより、タワージブ１３をタワーポスト７に沿う位置まで折り畳むように近付けると、図７及び図８に示したものと同様に、該タワーポスト７側に設けてある各ラッチプレート２８の先端側の係合ガイド面２９に、上記タワージブ１３側に設けてあるラッチバー２５の両端部が当接させられて、上記ラッチプレート２８が、上記ラッチバー２５の上側に沿って押し上げられ、しかる後、ラッチ爪３０が上記ラッチバー２５を乗り越えることで、該ラッチバー２５の両端部に、上記各ラッチプレート２８の切欠部３１が係合させられる。この際、上記ラッチバー２５の両端部の上側に上記各ラッチプレート２８が相対的に載置された状態となるため、上記ラッチバー２５の両端部に設けてあるラッチプレート検出レバー４４の当接部４４ａが上記ラッチプレート２８により押し下げられ、これに伴って上方へ回動されるストライカ部４４ｂによりリミットスイッチ３６の作動片３６ａが作動させられるため、該リミットスイッチ３６より信号が発せられるようになる。よって、この信号に基づいて上記タワージブ１３が折り畳まれてラッチバー２５とラッチプレート２８との係合を確認することができる。したがって、その後、上記タワーポスト７を地上位置まで倒伏させたり、倒伏状態から起立させるときにも、上記タワージブ１３がタワーポスト７に保持されるようになる。
【００３１】
このように、上記本発明のタワークレーンのジブ固定装置によれば、ラッチバー２５を、タワージブ１３におけるアウタジブ１３ｂの基端部に取り付けるようにしてあるため、タワージブ１３におけるインナジブ１３ａとアウタジブ１３ｂとの間に介装するインサート部材１３ｃの長さ寸法や連結数を変更して該タワージブ１３の全長を変更したり、タワーポスト７におけるインナポスト７ａとタワートップ７ｂとの間に介装するインサートポスト７ｃの長さ寸法や連結数を変更して該タワーポスト７の全長を変更する場合にも、ラッチバー２５の取付位置を変更する必要はない。したがって、該ラッチバー２５の近傍に設けるリミットスイッチ３６は、上記アウタジブ１３ｂに対して位置固定することができる。
【００３２】
ここで、図６に示した如きタワークレーンでは、通常、タワージブ１３の先端に、補フックブロック２３の過巻きを未然に防止するための図示しない過巻リミットスイッチが設けてあり、該過巻リミットスイッチの信号をクレーン本体２まで導くための過巻信号ケーブルが、タワージブ１３及びタワーポスト７の全長に亘って配線してある。
【００３３】
したがって、上記アウタジブ１３ｂに位置固定するリミットスイッチ６３からの信号を伝える信号ケーブル（図示せず）を、上記アウタジブ１３ｂの先端部まで導いて、中継ボックスを介して上記過巻信号ケーブルに合流させることにより、該過巻信号ケーブルと共にクレーン本体２（図６参照）まで配線することが可能になる。このため、上記リミットスイッチ３６用の信号ケーブルは、アウタジブ１３ｂに固定することができると共に、上記リミットスイッチ３６からの信号を伝える信号ケーブル用の専用のコードリールをなくすことができ、更には、上記タワーポスト７及びタワージブ１３の組付時の配線作業を省力化することが可能になる。
【００３４】
更に、上記においては、ラッチバー２５の左右両端部でラッチプレート検出レバー４４の配置をタワージブ１３との近接離反方向に位置をずらしてあるため、該ラッチバー２５の両端部に各ラッチプレート２８が当接した後、該各ラッチプレート２８が上記ラッチバー２５の上側に沿って押し上げられたり、各々のラッチ爪３０が上記ラッチバー２５を乗り越える際には、上記左右のラッチプレート検出レバー４４の当接部４４ａが押し下げられる量に差が生じる。一方、ラッチバー２５の両端部の上側に上記ラッチプレート２８の切欠部３１が載置されるときには、上記左右のラッチプレート検出レバー４４の当接部４４ａは同様に押し下げられるようになる。このことから、左右のラッチプレート検出レバー４４の当接部４４ａがラッチプレート２８によって同様に押し下げられて、左右のリミットスイッチ３６から共に信号が発せられるときにラッチプレート２８とラッチバー２５の係合が行われたと判断することで、該ラッチプレート２８とラッチバー２５の係合を確実に検出できる。
【００３５】
次に、図４及び図５は本発明の実施の他の形態を示すもので、図１乃至図３に示したと同様の構成において、タワージブ１３側のラッチバー２５の近傍位置に設けて該ラッチバー２５とタワーポスト７側のラッチプレート２８との係合を検出するためのリミットスイッチ３６の作動片３６ａを、上記ラッチバー２５の両端部に内蔵したラッチプレート検出レバー４４を介して作動させることができるようにした構成に代えて、上記ラッチバー２５の近傍位置に設けたリミットスイッチ３６の作動片３６ａを、ラッチバー２５とラッチプレート２８との係合時に該ラッチプレート２８に取り付けたストライカ片４９によって直接作動させることができる構成としたものである。
【００３６】
詳述すると、左右の各ラッチプレート２８の左右方向の外側に臨む面（外側面）における切欠部３１の直ぐ上側位置に、左右水平方向に突出するストライカ片４９をそれぞれ取り付ける。上記各ストライカ片４９は、前後方向に上記切欠部３１の前後方向寸法とほぼ同様の寸法を有すると共に、左右方向にタワージブ１３の折り畳み時に生じる該タワージブ１３とタワーポスト７との相対的な左右方向のずれに対応できる寸法を備えるようにしてある。
【００３７】
一方、上記ラッチバー２５の両端部の近傍位置、たとえば、ラッチバー２５の左右両端のタワージブ側寄り位置に、それぞれリミットスイッチ３６を、上記ラッチバー２５の両端部に上記各ラッチプレート２８の切欠部３１が係合して載置されるときに該各リミットスイッチ３６の作動片３６ａが各ラッチプレート２８のストライカ片４９によって叩かれるように配置して、アウタジブ１３ｂ側の固定部、たとえば、該アウタジブ１３ｂにおいてタワージブ１３の折り畳み時にタワーポスト７側に位置する左右のコードパイプ２４の所要個所に、所要の取付部材５０を介してそれぞれ取り付ける。なお、該各取付部材５０は、ラッチプレート２８がラッチバー２５に係合するときのラッチ爪３１の動きと干渉しないような配置としてある。
【００３８】
その他の構成は図１乃至図３に示したものと同様であり、同一のものには同一符号が付してある。
【００３９】
本実施の形態によれば、アウタジブ１３ｂに固定したラッチバー２５の近傍位置に設けてあるリミットスイッチ３６にて、タワージブ１３の折り畳み時における上記ラッチバー２５とタワーポスト７側のラッチプレート２８との係合を検出できる。
【００４０】
したがって、本実施の形態によっても、図１乃至図３に示した実施の形態と同様の効果を得ることができる。
【００４１】
なお、本発明は、上記実施の形態のみに限定されるものではなく、図４及び図５の実施の形態におけるリミットスイッチ３６は、ラッチプレート２８がラッチバー２５に係合するときのラッチ爪３１の動きと干渉しないような配置の取付部材５０を採用すれば、アウタジブ１３ｂのいかなる個所に取り付けるようにしてもよく、又、上記リミットスイッチ３６は、アウタジブ１３ｂに取り付けてあるラッチバー２５に所要の取付部材を介して取り付けるようにしてもよい。
【００４２】
リミットスイッチ３６をアウタジブ１３ｂに保持させてアウタジブ１３ｂに取り付けたラッチバー２５とタワーポスト１３側に設けるラッチプレート２８との係合を検出できるようにすれば、上記ラッチバー２５とラッチプレート２８との係合時に上記リミットスイッチ３６の作動片３６ａを作動させる機構は、図１乃至図３に示した如きラッチバー２５の両端部に内蔵したラッチプレート検出レバー４４や、図４及び図５に示した如きラッチプレート２８に取り付けたストライカ片４９以外のいかなる機構を採用してもよい。
【００４３】
ラッチバー２５のアウタジブ１３ｂに対する取り付けは、該アウタジブ１３ｂに設けた取付部材３９を介して行うものとして示したが、上記ラッチバー２５を、アウタジブ１３ｂに、微調整可能に取り付けるようにしてもよい。
【００４４】
タワーポスト１３側にラッチプレート２８の支軸３２を上下方向回転可能に且つ取り外し可能に保持させることができれば、Ｕボルトを介した取付構造等、図示したクランプ状の取付部材４１を介した取付構造以外のいかなる取付構造を採用してもよい。
【００４５】
タワーポスト１３を上下方向に起立配置としたときにラッチプレート２８の自重による下方への回動を規制して該ラッチプレート２８をほぼ水平方向に突出する姿勢に保持できれば、ストッパ４２はいかなる形状、配置としてもよく、更には、ラッチプレート２８の形状の一部に上記ストッパ４２として機能を持たせるようにしてもよい。その他、本発明の要旨を逸脱しない範囲内で種々変更を加え得ることは勿論である。
【図面の簡単な説明】
【００４６】
【図１】本発明のタワークレーンのジブ固定装置の実施の一形態を示す概略平面図である。
【図２】図１の装置の概略側面図である。
【図３】図１のＡ−Ａ方向矢視図である。
【図４】本発明の実施の他の形態を示す概略平面図である。
【図５】図４の装置の概略側面図である。
【図６】タワークレーンの一例の概略を示す側面図である。
【図７】従来提案されているジブ固定装置の一例の概略を示す側面図である。
【図８】図７のＢ−Ｂ方向矢視図である。
【符号の説明】
【００４７】
７  タワーポスト
１３  タワージブ
１３ｂ  アウタジブ
２５  ラッチバー
２８  ラッチプレート
３６  リミットスイッチ
４４  ラッチプレート検出レバー
４９  ストライカ片
【図１】
2008094599.tif 000003
【図２】
2008094599.tif 000004
【図３】
2008094599.tif 000005
【図４】
2008094599.tif 000006
【図５】
2008094599.tif 000007
【図６】
2008094599.tif 000008
【図７】
2008094599.tif 000009
【図８】
2008094599.tif 000010